【事件の表示】
　特願２０００−３０４４３１「インクジェット記録装置の清掃装置及びインクジェット記録装置」拒絶査定不服審判事件〔平成１４年　４月　９日出願公開、特開２００２−１０３６３５〕について、次のとおり審決する。
【結　論】
　本件審判の請求は、成り立たない。
【理　由】
第１　手続の経緯
　本願は、平成１２年１０月４日の出願であって、平成２２年６月１１日で手続補正がなされ、同年１１月９日付けで拒絶査定がなされ、これに対して、平成２３年２月２日付けで拒絶査定不服審判の請求がなされ、その請求と同時に手続補正がなされたものである。
　なお、請求人は、当審における平成２３年６月１日付けの審尋に対して同年７月７日に回答書を提出している。
　
第２　平成２３年２月２日付け手続補正についての補正却下の決定
〔補正却下の決定の結論〕
　平成２３年２月２日付け手続補正を却下する。
　
〔理由〕
１　本件補正の内容
（１）平成２３年２月２日付け手続補正（以下「本件補正」という。）は、特許請求の範囲及び発明の詳細な説明についてするもので、特許請求の範囲については、本件補正前の請求項１に、
「部材の親水性が大きいほど該部材に対する濡れ性が大きくなるインクを吐出するインクジェット記録装置の記録ヘッドのインク吐出面に付着したインクを拭き取る
第１の清掃手段
第１の清掃手段
第１の清掃手段
第１の清掃手段
第１の清掃手段
　
「部材の親水性が大きいほど該部材に対する濡れ性が大きくなるインクを吐出するインクジェット記録装置の記録ヘッドのインク吐出面に付着したインクを拭き取る
第１の清掃手段であるワイピングブレード
ワイピングブレード
ワイピングブレード
ワイピングブレード
ワイピングブレード
　
（２）本件補正後の請求項１に係る上記（１）の補正は、本件補正前の請求項１に係る発明を特定するために必要な事項である「第１の清掃手段」について「ワイピングブレード」であると限定するものである。
　
２　本件補正の目的
　本件補正後の請求項１に係る本件補正は、上記１（２）のとおり、本件補正前の請求項１に係る発明を特定するために必要な事項を限定するものであるから、平成１８年法律第５５号改正附則第３条第１項によりなお従前の例によるとされる同法による改正前の特許法（以下「旧特許法」という。）第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（旧特許法第１７条の２第５項において準用する同法第１２６条第５項の規定に適合するか）について以下検討する。
　
３　引用刊行物及び引用発明
（１）原査定の拒絶の理由に引用された「本願の出願前に頒布された刊行物である特開平５−３３００７４号公報（以下「引用例１」という。）」には、次の事項が図とともに記載されている。
　ア　「【請求項１】  
記録ヘッドのワイピングをするためのブレードを有するインクジェットプリンタの回復装置において
【請求項２】  
ブレードによりワイピングされたインクを第二の除去部材によって除去する
　
　イ　「【０００１】
【産業上の利用分野】本発明はインクジェットプリンタの回復装置に関するものである。
【０００２】
【従来の技術】インクジェットプリンタにおいては、記録用紙に沿って移動するキャリッジ上に設置した記録ヘッドのインク吐出口を設けた面に紙くず、ほこりあるいは増粘インクなどが付着し、これによってインク吐出口に目詰まりを生じインクが吐出不良となる為、例えば特開昭５９−１４９６３号公報に記載されているようにこれらの異物を除去するためにクリーニング手段を設けていた。
【０００３】図８、図９に従来例を示す。図８は、インクジェットの記録ヘッド５１がノズルキャップ２１から離れている状態を示す図であり、この状態から印字を開始する。それに対し、図９は記録ヘッド５１のノズル面５１ａがノズルキャップ２１に押圧したいわゆるキャッピング状態を示す図である。ノズルキャップ２１は、枠２３に弾力性を有する部材２４と、ガス透過率及び吸水率の小さい部材２５が多層になって挿入された構造になっている。またノズルキャップ２１には、外周面に弾力を有するへら状ワイパー２４ａが有り、これがノズルクリーナーとなる。図９に示すキャッピング状態になった時にノズルキャップ２１の回転によってワイパー２４ａがノズル面５１ａの先端面を擦ってクリーニングする。
【０００４】この様に、インクの乾燥、ゴミの付着を防ぐ為にインク吐出面を弾力性のある部材でキャッピングし、印刷開始時にキャッピングを解除し、待機位置の状態で前記記録ヘッド吐出面の異物を拭き払うために、インクを吐出したり、可撓性のブレードでワイピングを行う機構が採用されている。　
【０００５】
【発明が解決しようとする課題】しかしながら
従来のワイピング用ブレードの材料はブチルゴム等の耐薬品性等の性質と記録ヘッドの吐出面を弾性的に拭く事のみに主眼が置かれ、特に表面に付いての配慮は成されていなかった。その為せっかくワイピングを行ったにも関わらず、再度紙くず、ほこりあるいは増粘インクなどがノズル面に付着し、この紙くず、ほこりなどのためインク吐出口の目詰まりが生じ、インクの吐出不良を起こしていた
【０００６】
本発明の目的は、ほこりやゴミばかりでなく、ノズル先端面の排出インクをも完全にクリーニングする方法を提供することを目的としており、さらには、比較的簡単な処理によりインクジェットプリンタ用ヘッドの高信頼性を確保し、プリンタの印字品質の信頼性を高める事を目的としている
　
　ウ　「【０００７】
【課題を解決するための手段】上記課題を解決するために、本発明のインクジェットプリンタの回復装置は、ノズル面をクリーニングするワイピング用ブレードに、例えばグラフト重合によりポリエチレンにビニールピロリドン等の薄膜を形成するなどの親水化処理を行う事により、ヘッドのノズル面に付着した紙くず、ほこりあるいは増粘インクなどをブレードに付着し易くする事を特徴とする。
【０００８】さらには、本発明の回復装置におけるワイピング用ブレードによって拭き払われた紙くず、ほこりあるいは増粘インクなどはブレードにより移動し、紙くず、ほこり、増粘インクなどを第二の除去部材に付着させる事により完全にクリーニングさせられる事を特徴とする。
【０００９】
【作用】親水化処理を施したワイピング用ブレードは記録ヘッドのノズル面をワイピングする。この際、ブレード表面が親水性であるためノズル面上の紙くず、ほこり、増粘インクなどをブレードは効率的に吸い取る。次に、吸い取った紙くず、ほこり、増粘インクなどを搬送機構によりブレードは、第二の除去部材まで搬送する。第二の除去部材はブレードから紙くず、ほこり、増粘インクを受け取る。このためブレードは、再びきれいになり、吸引力が回復する。」
　
　エ　「【００１０】
【実施例】以下、本発明の一実施例を図面に基ずいて説明する。図１は本発明によるインクジェットプリンタの要部構成を示し、プラテン１にバックアップされた用紙２の前方にガイドシャフト３が設置され、該ガイドシャフトに沿って移動するキャリッジ４上に記録ヘッド５が搭載されている。キャリッジのホーム位置４１にはインクジェットプリンタの回復装置１０が設けられている。この回復装置１０は、記録ヘッド５に対して進退駆動され前進位置で記録ヘッド前面（インク吐出面が形成されているノズル面）を密閉するキャッピング手段６と、該キャッピング手段６を通して配管されたパイプ９よりインク吐出面からインクを吸引するポンプ８とを備えている　
【００１１】前記キャッピング手段６の側部（図１中の右側）には記録ヘッド５の前面すなわちインク吐出が行われるノズル面を拭き取る為の可撓性のワイピング用ブレードを設けたワイピング手段７が前記キャッピング手段６と同様に進退駆動可能に装着されている。このワイピング手段７は、キャリッジ４がワイピング手段７の位置に来て、前記ヘッドをワイピングする時のみ前進し、キャッピング時や、印字時また該ヘッドがワイピング用ブレードからの離脱時には後退するよう装着されている。　
【００１２】図２はインクジェットプリンタの回復装置１０の構造を示す斜視図である。図２において、基台１１上にライトサイドフレーム１２及びレフトサイドフレーム１３が装着され、ライトサイドフレーム１２およびレフトサイドフレーム１３に支持された軸１４を回転中心として、前記キャッピング手段６とワイピング手段７が支持されている。該キャッピング手段とワイピング手段はバネによる付勢手段とカム等の組み合わせ（図示しない）により、進退駆動可能に支持されている。キャッピング手段６には、記録ヘッドのノズル面のインクが乾燥して増粘するのを防ぐために密閉性の良い可撓性のキャップ６ａを有している。また、ワイピング手段７には、前記ノズル面に付着した紙くず、ほこりあるいは増粘インクなどを拭き取る可撓性のワイピング用ブレード７ａを備えている。　
【００１３】図３は前記ワイピング用ブレードの好適な一例の斜視図である。環状の回転するワイピングベルト７ｂの複数箇所にワイピングする為のワイピング用ブレード７ａを備えている。ワイピング用ブレード７ａは、可撓性の部材、例えば弾力性があり対薬品性のあるブチルゴム等で成形され、記録ヘッドに対し約５〜１５ｇ程度の押し付け力で回転しながら記録ヘッドをワイピングする。　
【００１４】図４はワイピング手段７の断面図である。
従来のブレードによりインクジェットプリンタの記録ヘッドのノズル面をワイピングすると、一度拭き払ったほこりやゴミを記録ヘッドのノズル面に再度擦りつけ、ノズル面の穴を詰まらせインクの射出に悪影響を与えていた。この欠点を除去するために
図１の様に進退駆動可能にしたワイピング手段７の位置にガイドシャフト３を通してキャリッジ４上の記録ヘッドを移動し、主としてゴム類で出来た可撓性のワイピング用ブレード７ａを搬送機構１５により図４に示す矢印方向に回転して、記録ヘッドのノズル面のほこりや紙くずあるいは増粘インクなどを親水化処理したワイピング用ブレード７ａにより拭き取り、さらに搬送機構１５によりワイピング用ブレード７ａに拭き取られたほこり、紙くず、増粘インクなどを第二の除去部材２０まで搬送し、図４に示す該ワイピング用ブレード７ａより充分体積の大きい多孔質部材で出来た第２の除去部材２０によりワイピング用ブレード７ａに拭き取られた紙くず、ほこり、増粘インクなどを吸収させることにより、確実なワイピングを行う
【００１５】親水化処理された個体表面の吸水性が向上する事は公知であり、例えば昭和５９年７月に発行された日本化学会編「化学総説  Ｎｏ．４４  表面の改質」に記載されているように、高分子表面に他の高分子をグラフト化反応でつける事により、濡れの性質を大幅に変える事が出来る。特に、ＰＰなどにポリビニルピロリドンを紫外線によってグラフト化させると、水に対する接触角が殆どゼロに近い非常に親水性の強い表面を得る事が出来る。
【００１６】図５は
ブレードに水を滴下した時の接触角θh を示す説明図である。インクの場合も接触角は同様な相関関係がある事が知られているのでブレード表面の親水性は水の接触角で評価出来る
【００１７】本実施例では環状の回転するワイピング用ブレードであるが、図６に示すように、プリンタ本体に固定された板状のワイピング用ブレード７１ａを用いて、図７に示すように、ガイドシャフト３０に沿って移動するキャリッジ４０の左右の移動によりキャリッジ４０上の記録ヘッド５０のノズル面をワイピングする構成にしても可能である。またこの場合の第２の除去部材は９０である。
【００１８】以上、本発明について詳しく説明してきたが、
本発明のインクジェットプリンタの回復装置の大きな特徴であるワイピング用ブレードに親水化処理を施すことは、従来回復させたつもりがかえって記録ヘッドのノズル面の穴を詰まらせていた要因を取り除くものであり、良好な印字品質を維持継続させるものである
　
　オ　図４から、ワイピング用ブレードと第２の除去部材とは、別体であることが見てとれる。
　
　カ　上記アないしオから、引用例１には次の発明が記載されているものと認められる。
「記録ヘッドのワイピングをするためのブレードを有するインクジェットプリンタの回復装置において、
　従来のワイピング用ブレードの材料はブチルゴム等の耐薬品性等の性質と記録ヘッドの吐出面を弾性的に拭く事のみに主眼が置かれ、特に表面に付いての配慮は成されていなかった為、従来のブレードによりインクジェットプリンタの記録ヘッドのノズル面をワイピングすると、一度拭き払った紙くず、ほこりあるいは増粘インクなどを記録ヘッドのノズル面に再度擦りつけ、ノズル面の穴を詰まらせインクの射出に悪影響を与えるといった欠点を有していたので、この欠点を除去し、ほこりやゴミばかりでなく、ノズル先端面の排出インクをも完全にクリーニングし、さらには、比較的簡単な処理によりインクジェットプリンタ用ヘッドの高信頼性を確保し、プリンタの印字品質の信頼性を高めるインクジェットプリンタの回復装置を提供するために、前記ブレードに親水化処理を施して従来回復させたつもりがかえって記録ヘッドのノズル面の穴を詰まらせていた要因を取り除くとともに、第二の除去部材を設け、ブレードによりワイピングされたインクを第二の除去部材によって除去するようにし、ブレードにインクを滴下した時の接触角はブレードに水を滴下した時の接触角と同様な相関関係があるのでブレードの表面の親水性の評価を水の接触角で行ったインクジェットプリンタの回復装置であって、
　進退駆動可能にしたワイピング手段の位置にガイドシャフトを通してキャリッジ上の記録ヘッドを移動し、主としてゴム類で出来た可撓性のワイピング用ブレードを搬送機構により回転して、記録ヘッドのノズル面のほこりや紙くずあるいは増粘インクなどを親水化処理したワイピング用ブレードにより拭き取り、さらに搬送機構によりワイピング用ブレードに拭き取られたほこり、紙くず、増粘インクなどを第二の除去部材まで搬送し、ワイピング用ブレードとは別体の第２の除去部材によりワイピング用ブレードに拭き取られた紙くず、ほこり、増粘インクなどを吸収させることにより、確実なワイピングを行うようにしたインクジェットプリンタの回復装置。」（以下「引用発明」という。）
　
（２）原査定の拒絶の理由に引用された「本願の出願前に頒布された刊行物である特開平１０−３２３９８６号公報（以下「引用例２」という。）」には、次の事項が図とともに記載されている。
　ア　「【請求項１】  
印刷信号に対応してノズルプレートのノズル開口からインク滴を吐出する記録ヘッドと、該記録ヘッドを搭載して記録媒体に対して走査するキャリッジと、前記ノズルプレートに弾接するクリーニング用ブレードとを備えたインクジェット式記録装置において
前記クリーニング用ブレードが少なくとも前記ノズルプレートと当接する面に親インク性処理が施されているインクジェット式記録装置
【請求項２】  前記親インク性処理が、細溝を形成することにより行われている請求項１に記載のインクジェット式記録装置。
【請求項３】  前記親インク性処理が、親インク性多孔質材を積層することにより行われている請求項１に記載のインクジェット式記録装置。
【請求項４】  前記親インク性処理が、親インク剤の塗布により形成された層として行われている請求項１に記載のインクジェット式記録装置。
【請求項５】  前記クリーニング用ブレードの支持部材が、少なくとも非クリーニング時に廃インクタンクのインク吸収パッド、またはこれから延びてインク吸収性を備えた部材に当接する請求項１に記載のインクジェット式記録装置。
【請求項６】  
前記クリーニング用ブレードの支持部材の表面に、前記クリーニングブレードよりも強く、かつ前記インク吸収パッドよりも弱い親インク性処理層が形成されている請求項５に記載のインクジェット式記録装置
　
　イ　「【０００２】
【従来の技術】インクジェット式記録ヘッド本体は、そのサイズが極めて小さく、またインクの色を変えることによりカラー印刷が可能であるため、キャリッジに黒インクを吐出するブラック記録ヘッド、及びイエロ、シアン、マゼンタのインクを吐出するカラー記録ヘッドを搭載し、黒インクによるテキスト印刷ばかりでなく、フルカラー印刷ができるインクジェット式カラープリンタが実用化されている。このようなインクジェット式記録ヘッドは、圧力発生室で加圧されたインクをノズル開口からインク滴として記録用紙に吐出させる関係上、ノズル開口からのインク溶媒の蒸発に起因してインクの粘度が上昇したり、またインクが固化したり、さらには塵埃や紙粉が付着して印刷不良が起き易いという問題を抱えている。
【０００３】このため、インクジェット式記録装置は、通常、非印刷時に記録ヘッドのノズル開口を封止してインクの乾燥を防止するためのキャッピング手段だけではなく、ノズルプレートに摺接して物理的にノズル開口の目詰まりを解消するクリ−ニング手段を備えている。このようなクリーニング手段は、ゴム等の弾性材料からなる板材によりブレードとして構成されていて、
記録ヘッドのノズルプレートに弾接可能な位置に突出させた状態で、記録ヘッドをキャリッジにより往復動させることにより、ノズルプレートの塵埃やインクカスをブレードの先端部でインクと共に掻き取るように構成されている
…（略）…
【０００８】ポンプユニット１４の底部には、インク吸収性、及び保持性が優れたフエルト等の多孔質材からなる廃インク吸収パッド１６が図示しない容器に収容されて配置されている。
廃インク吸収パッド１５は、後述するクリーニング用ブレード１６が待機状態に置かれている場合に、ブレード１６を支持している支持部材１７の側壁や、底面に当接する突起等の接触片１８が一体、また別体に設けられている
【０００９】また、クリーニング用ブレード１６は、キャッピング装置１３の近傍でかつ非印刷領域に位置して配置され、図２に示したようにクリーニング時には先端１６ａが記録ヘッド７、８のノズルプレートよりもインクカートリッジ側に若干突出してノズルプレートに弾圧して弾性変形可能な位置を占め（図中、点線で示す状態）、また非クリーニング時には記録ヘッド７、８のノズルプレートＮに接触しない位置で、かつ
支持部材１７がインク吸収パッド１５の接触片１８に当接した状態で待機する（図中、実線で示す状態）ように構成されている
【００１０】
また支持部材１７は、その表面にクリーニング用ブレード１６よりも強く、かつインク吸収パッドよりも弱い親インク処理が施されている
【００１１】図３は、上述のブレード１６の一実施例を示すものであって、記録ヘッドとの当接面には、インクを毛細管力で保持でき、かつノズルプレートのクリーニングには支障を来さない程度の幅の溝１９、１９、１９‥‥が先端から支持部材１７の側に延びるように複数形成されている。
【００１２】この実施例において、記録ヘッド７、８に印字不良が生じた場合には図示しないクリーニングスイッチによりクリーニングを指令すると、ブレード１６は、その先端部を記録ヘッド７、８のノズルプレート７ａ、８ａよりもインクカートリッジ側に突出移動されてクリーニングに適した位置にセットされる。
【００１３】ついでキャリッジ１が移動すると、
ブレード１６はその先端領域を記録ヘッド７のノズルプレートＮに接触して弾性変形されながらノズルプレートＮの表面に付着しているインクカスや紙粉等をインクと共に払拭する。記録ヘッド７から拭き取られたインクＫは、ブレード１６の表面に形成されている溝１９の毛細管力により下方に移動する
【００１４】キャリッジ１がさらに移動して記録ヘッド７がブレード１６を通り過ぎると、ブレード１６はノズルプレートによる弾圧を解かれて弾性力により元の位置に急激に戻る。これにより、ノズルプレートＮから拭き取られたインクＫは慣性を受けるが、大半のインクはブレード１６の支持部材１７側に移動していて弱い慣性力を受けるだけであり、しかも溝１９の毛細管力によりインクがブレード１６に保持されるため、飛び出すことができず、インク滴を発生することにはならない（図４（II））。
【００１５】そしてブレード１６に付着したインクは、重力により支持部材１７の側に降下して、支持部材１７の親インク性により保持される。
【００１６】
このようにしてクリーニング動作が終了してブレード１６が元の位置に後退すると、図２に示したようにブレード１６の支持部材１７がインク吸収パッド１５の接触片１８に接触する。これにより、ブレード１６により掻取られて支持部材１７に流れ出したインクがインク吸収パッド１５のより強い毛細管力に引かれてインク吸収パッド１５に吸収される
【００１７】なお、上述の実施例においては、細い溝１６を形成することにより、インクの支持部材側への移動と、ブレードでの保持とを図るようにしているが、図５（イ）に示したように、ゴムなどの弾性板材２０のノズルプレート当接面側に、親インク性剤、たとえばジエチレングリコール、ポリエチレングリコール、ポリプロピレングリコール、エチレングリコール、プロピレングリコール、ブチレングリコール、トリエチレングリコール、１・２・６ーヘキサントリオール、チオグリコール、ヘキシレングリコール、グリセリン、トリメチロールエタン、トリメチロールプロパン、尿素、２ーピロリドン、Ｎ−メチルー２ーピロリドン、１・３ージメチルー２ーイミダゾリジンから選択された１種類以上の湿潤剤と、アニオン性界面活性剤、カチオン性界面活性剤、両性界面活性剤等の各種界面活性剤、さらにはメタノール、エタノール、イソープロピルアルコール等のアルコール類、エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル類、アセチレングリコール類から選択された１種類以上の材料を混合したものを塗布して層２１を形成するようにしても同様の作用を奏する。
【００１８】また、図５（ロ）に示したようにノズルプレートに接する側となる層２２を多孔質材として形成し、記録ヘッドのノズルプレートに弾接できる程度の弾性を与えるゴム等のバック材２３を積層して構成しても、ノズルプレートのインクを多孔質材の層２２の毛細管力によりブレード１６の支持部材１７側に移動させ、またインクを慣性力に負けない程度に多孔質材の層２２の毛細力で保持することができる。
【００１９】なお、上述の実施例のおいては、キャリッジにインクカートリッジを搭載する形式の記録装置に例を採って説明したが、キャリッジの外にインクカートリッジを設置するとともに、インク供給チューブにより記録ヘッドにインクを供給する形式の記録装置に適用しても同様の作用を奏することは明らかである。
【００２０】
【発明の効果】以上、説明したように本発明においては、印刷信号に対応してノズルプレートのノズル開口からインク滴を吐出する記録ヘッドと、記録ヘッドを搭載して記録媒体に対して走査するキャリッジと、ノズルプレートに弾接するクリーニング用ブレードとを備えたインクジェット式記録装置において、クリーニング用ブレードが少なくともノズルプレートと当接する面に親インク性処理を施したので、ブレードの反発に関りなくインクをブレードに保持させることができ、ノズルプレートから拭き取ったインクの飛散を阻止して、函体や隣接する記録ヘッドのインクによる汚染を防止することができる。」　
　
　ウ　上記ア及びイの記載から、引用例２には、「ノズルプレートのノズル開口からインク滴を吐出する記録ヘッドと、該記録ヘッドを搭載して記録媒体に対して走査するキャリッジと、前記ノズルプレートに弾接するクリーニング用ブレードと、接触片が設けられている廃インク吸収パッドと、該廃インク吸収パッドの接触片に当接する前記クリーニング用ブレードの支持部材と、を備え、前記ブレードによりノズルプレートの表面に付着しているインクカスや紙粉等をインクと共に払拭し、記録ヘッドから拭き取られたインクを前記支持部材側へ移動させ、該支持部材が前記廃インク吸収パッドの接触片に接触することにより、前記ブレードにより掻き取られて前記支持部材に流れ出したインクが前記廃インク吸収パッドに吸収されるようになっているインクジェット式記録装置において、前記クリーニング用ブレードの前記ノズルプレートと当接する面に親インク剤を塗布して層を形成して親インク性処理を施すとともに、前記支持部材の表面に、前記クリーニング用ブレードよりも強く、かつ、前記廃インク吸収パッドよりも弱い親インク性処理層を形成する。」との技術事項（以下「引用例２記載技術事項」という。）が記載されているものと認められる。
　
４　対比
　本願補正発明と引用発明とを対比する。
（１）引用発明の「『ブレードにインクを滴下した時の接触角はブレードに水を滴下した時の接触角と同様な相関関係がある』インク」、「インクジェットプリンタ」、「記録ヘッド」、「ノズル面」、「『記録ヘッドのノズル面のほこりや紙くずあるいは増粘インクなど』を拭き取る『ワイピング用ブレード』」、「『ワイピング用ブレードに拭き取られた紙くず、ほこり、増粘インクなど』を吸収させる『第２の除去部材』」及び「インクジェットプリンタの回復装置」は、それぞれ、本願補正発明の「部材の親水性が大きいほど該部材に対する濡れ性が大きくなるインク」、「インクを吐出するインクジェット記録装置」、「記録ヘッド」、「インク吐出面」、「記録ヘッドのインク吐出面に付着したインクを拭き取る第１の清掃手段であるワイピングブレード」、「ワイピングブレードに付着したインクを拭き取る第２の清掃手段」及び「インクジェット記録装置の清掃装置」に相当する。
　
（２）引用発明において、ブレードに親水化処理を施すのは、従来のブレードによりインクジェットプリンタの記録ヘッドのノズル面をワイピングすると、一度拭き払った紙くず、ほこりあるいは増粘インクなどを記録ヘッドのノズル面に再度擦りつけ、ノズル面の穴を詰まらせインクの射出に悪影響を与えるといった欠点を有していたので、この欠点を除去し、従来回復させたつもりがかえって記録ヘッドのノズル面の穴を詰まらせていた要因を取り除き、ほこりやゴミばかりでなく、ノズル先端面の排出インクをも完全にクリーニングするためであり、かつ、ブレードにインクを滴下した時の接触角はブレードに水を滴下した時の接触角と同様な相関関係があることからみて、引用発明の「記録ヘッドのインク吐出面に付着したインクを拭き取る第１の清掃手段であるワイピングブレード（ワイピング用ブレード）」の親水性は、「記録ヘッドのインク吐出面（ノズル面）」の親水性よりも大きいことが当業者に自明である。
　
（３）上記（１）及び（２）から、本願補正発明と引用発明とは、
「部材の親水性が大きいほど該部材に対する濡れ性が大きくなるインクを吐出するインクジェット記録装置の記録ヘッドのインク吐出面に付着したインクを拭き取る第１の清掃手段であるワイピングブレードと、該ワイピングブレードとは別体で構成されワイピングブレードに付着したインクを拭き取る第２の清掃手段とを備え、前記インク吐出面の親水性よりもワイピングブレードの親水性が大きいインクジェット記録装置の清掃装置。」
である点で一致し、次の点で相違する。
　
相違点：
　本願補正発明では、第２の清掃手段の親水性が、ワイピングブレードの親水性よりも大きいのに対して、引用発明では、「第２の清掃手段（第２の除去部材）」は、ワイピング用ブレードに拭き取られた紙くず、ほこり、増粘インクなどを吸収させるものであるけれども、その親水性がワイピングブレードの親水性よりも大きいかどうかは明確ではない点。　
　
５　判断
　上記相違点について検討する。
（１）引用例２には、上記３（２）ウで述べたとおりの引用例２記載技術事項が記載されている。
　引用例２記載技術事項では、ノズルプレートの表面からブレードによりインクを払拭し、拭き取られたインクをブレードから、支持部材、廃インク吸収パッドへと移動させるものにおいて、インクを移動させる順序と同じ順である、クリーニング用ブレード、支持部材、廃インク吸収パッドの順に強くなるように親インク性処理を行っていることが理解できる。
　
（２）引用発明の「インクジェット記録装置の清掃装置（インクジェット記録装置の回復装置）」は、従来のワイピング用ブレードの材料はブチルゴム等の耐薬品性等の性質と記録ヘッドの吐出面を弾性的に拭く事のみに主眼が置かれ、特に表面に付いての配慮は成されていなかった為、従来のブレードによりインクジェットプリンタの記録ヘッドのノズル面をワイピングすると、一度拭き払った紙くず、ほこりあるいは増粘インクなどを記録ヘッドのノズル面に再度擦りつけ、ノズル面の穴を詰まらせインクの射出に悪影響を与えるといった欠点を有していたので、この欠点を除去し、ほこりやゴミばかりでなく、ノズル先端面の排出インクをも完全にクリーニングし、従来回復させたつもりがかえって記録ヘッドのノズル面の穴を詰まらせていた要因を取り除くために、前記ブレードに親水化処理を施したものであるが、引用発明の「インクジェット記録装置の清掃装置」は、さらには、比較的簡単な処理によりインクジェットプリンタ用ヘッドの高信頼性を確保し、プリンタの印字品質の信頼性を高めるために、第二の除去部材を設けて、ブレードによりワイピングされたインクを第二の除去部材によって除去するようにしているものである。
　しかるところ、記録ヘッドのノズル面のほこりや紙くずあるいは増粘インクなどをワイピング用ブレードにより拭き取る際の一度拭き払った紙くず、ほこりあるいは増粘インクなどを記録ヘッドのノズル面に再度擦りつけ悪影響を与えるといった欠点を知る当業者にとっては、ブレードによりワイピングされたインクを第二の除去部材によって除去する際においても、同様の欠点、すなわち、ブレードによりワイピングされたインクを第二の除去部材によって除去すると、一度ブレードから除去したインクを前記ブレードに再度付着させブレードによるワイピングに悪影響を与えるといった欠点が生じ得ることは自明である。
　
（３）上記（１）及び（２）からして、引用発明において、ブレードによりワイピングされたインクを第二の除去部材によって除去すると、一度ブレードから除去したインクを前記ブレードに再度付着させブレードによるワイピングに悪影響を与えるといった当業者に自明である欠点（上記（２）参照。）が生じないようにするために、引用例２記載技術事項と同様に、引用発明において、インクを移動させる順序である、「記録ヘッドのインク吐出面」、「第１の清掃手段であるワイピングブレード」、「第２の清掃手段」の順に、親インク性が強くなるように、前記ワイピングブレードとともに第２の清掃手段にも親水化処理を施すこと、すなわち、引用発明において、上記相違点に係る本願補正発明となすことは、当業者が、引用発明、引用例２記載技術事項及び当業者に自明の事項に基づいて容易に想到することができた程度のことである。
　
（４）本願補正発明の奏する効果は、当業者が、引用発明の奏する効果及び引用例２記載技術事項の奏する効果から予測できた程度のものである。
　
（５）したがって、本願補正発明は、当業者が、引用例１に記載された発明及び引用例２の記載事項に基づいて容易に発明をすることができたものである。
　本願補正発明は、当業者が、引用例１に記載された発明及び引用例２の記載事項に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、旧特許法第１７条の２第５項において準用する同法第１２６条第５項の規定に違反するものである。
　したがって、本件補正は、旧特許法第１５９条第１項において読み替えて準用する同法第５３条第１項の規定により却下すべきものである。
　
第３　本願発明について
１　本願発明
　本件補正は、上記第２のとおり却下されたので、本願の請求項１ないし５に係る発明は、平成２２年６月１１日付けで補正された特許請求の範囲の請求項１ないし５にそれぞれ記載された事項によって特定されるものであるところ、請求項１に係る発明（以下「本願発明」という。）は、平成２２年６月１１日付けで補正された明細書及び図面の記載からみて、上記第２〔理由〕１（１）に本件補正前の請求項１として記載したとおりのものである。
　
２　引用例
　原査定の拒絶の理由に引用された引用例及びその記載事項は、上記「第２〔理由〕３」に記載したとおりである。
　
３　対比・判断
　本願補正発明は、上記「第２〔理由〕１（２）」のとおり、本願発明の発明特定事項である「第１の清掃手段」について「ワイピングブレード」であると限定するものである。
　そうすると、本願発明の構成要件をすべて含み、さらに限定を付加したものに相当する本願補正発明が、上記「第２〔理由〕５」に記載したとおり、当業者が、引用例１に記載された発明及び引用例２の記載事項に基づいて容易に発明をすることができたものであるから、本願発明も同様の理由により、当業者が、引用例１に記載された発明及び引用例２の記載事項に基づいて容易に発明をすることができたものである。
　
４　むすび
　以上のとおり、本願発明は、当業者が、引用例１に記載された発明及び引用例２の記載事項に基づいて容易に発明をすることができたものであるから、特許法第２９条第２項の規定により特許を受けることができない。
　よって、結論のとおり審決する。